(57)【特許請求の範囲】
【請求項１】
聴覚検査を行うためのプローブであって、
前記プローブは、プローブ本体であって、当該プローブ本体内の第１プローブチャネルへの第１プローブ開口を有するプローブ本体を備えており、
前記プローブは、第１構成要素チャネルへの第１構成要素開口を有する構成要素と接続するためのロッキング機構を備えており、
前記ロッキング機構が、
主軸に沿って延びているとともに内面と外面とを有するプローブ壁であって、前記構成要素を受け入れるための台座を形成しており、前記第１プローブ開口を取り囲んでいるプローブ壁と、
中心軸を有しているとともに前記プローブ本体に対して第１位置と第２位置を有するように構成された結合部材であって、前記プローブが当該結合部材の位置に応じて前記構成要素を前記プローブにロックするように構成されている結合部材と、
前記構成要素の結合要素と係合するための第１係合要素を含む１つ以上の係合要素であって、前記第１係合要素が、前記結合部材が前記第１位置にあるときに、前記主軸に垂直な第１係合軸に沿って移動可能である係合要素と、
を備えており、
前記結合部材は、前記中心軸のまわりでの前記プローブ本体に対する前記結合部材の回転によって、前記第１位置から前記第２位置に移動するように構成されているプローブ。
【請求項２】
前記結合部材は、１０°から３６０°の範囲内の角度変位で前記第１位置から前記第２位置に回転する請求項１に記載のプローブ。
【請求項３】
聴覚検査を行うためのプローブであって、
前記プローブは、プローブ本体であって、当該プローブ本体内の第１プローブチャネルへの第１プローブ開口を有するプローブ本体を備えており、
前記プローブは、第１構成要素チャネルへの第１構成要素開口を有する構成要素と接続するためのロッキング機構を備えており、
前記ロッキング機構が、
主軸に沿って延びているとともに内面と外面とを有するプローブ壁であって、前記構成要素を受け入れるための台座を形成しており、前記第１プローブ開口を取り囲んでいるプローブ壁と、
中心軸を有しているとともに前記プローブ本体に対して第１位置と第２位置を有するように構成された結合部材であって、前記プローブが当該結合部材の位置に応じて前記構成要素を前記プローブにロックするように構成されている結合部材と、
前記構成要素の結合要素と係合するための第１係合要素を含む１つ以上の係合要素であって、前記第１係合要素が、前記結合部材が前記第１位置にあるときに、前記主軸に垂直な第１係合軸に沿って移動可能である係合要素と、
を備えており、
前記第１係合要素は第１ボールであるプローブ。
【請求項４】
聴覚検査を行うためのプローブであって、
前記プローブは、プローブ本体であって、当該プローブ本体内の第１プローブチャネルへの第１プローブ開口を有するプローブ本体を備えており、
前記プローブは、第１構成要素チャネルへの第１構成要素開口を有する構成要素と接続するためのロッキング機構を備えており、
前記ロッキング機構が、
主軸に沿って延びているとともに内面と外面とを有するプローブ壁であって、前記構成要素を受け入れるための台座を形成しており、前記第１プローブ開口を取り囲んでいるプローブ壁と、
中心軸を有しているとともに前記プローブ本体に対して第１位置と第２位置を有するように構成された結合部材であって、前記プローブが当該結合部材の位置に応じて前記構成要素を前記プローブにロックするように構成されている結合部材と、
前記構成要素の結合要素と係合するための第１係合要素を含む１つ以上の係合要素であって、前記第１係合要素が、前記結合部材が前記第１位置にあるときに、前記主軸に垂直な第１係合軸に沿って移動可能である係合要素と、
を備え、
前記結合部材は、前記結合部材が前記第２位置にあるときの、前記第１係合軸に沿った第１解放方向における、前記第１係合要素のための第１ロック止め具を備えており、
前記結合部材は、前記結合部材が前記第１位置にあるときの、前記第１解放方向における前記第１係合要素のための第１解放止め具を備えており、
前記第１解放止め具は、前記中心軸までの第１解放距離を有しており、
前記第１ロック止め具は、前記中心軸までの第１ロック距離を有しており、
前記第１解放距離は、前記第１ロック距離より大きいプローブ。
【請求項５】
前記第２位置にある前記結合部材は、前記構成要素が前記プローブにロックされるように、前記第１係合要素が前記第１係合軸に沿って解放位置に移動することを防止する請求項１から４のいずれか一項に記載のプローブ。
【請求項６】
前記結合部材が前記第２位置にあるときに、前記構成要素を前記プローブにロックするように構成されている請求項１から５のいずれか一項に記載のプローブ。
【請求項７】
前記結合部材は、前記プローブ本体に対する前記主軸に沿った前記結合部材の移動によって、前記第１位置から前記第２位置に移動するように構成されている請求項１から６のいずれか一項に記載のプローブ。
【請求項８】
前記プローブ壁は、前記第１係合要素を少なくとも部分的に収容する第１空洞を備えており、
前記第１空洞は、前記第１係合軸に沿った第１係合方向における、前記第１係合要素のための第１係合止め具を形成している請求項１から７のいずれか一項に記載のプローブ。
【請求項９】
前記１つ以上の係合要素は、前記構成要素の結合要素と係合するための第２係合要素を含んでおり、
前記第２係合要素は、前記結合部材が前記第１位置にあるときに、前記主軸に垂直な第２係合軸に沿って移動可能であり、
前記第２位置にある前記結合部材は、前記第２係合要素が前記第２係合軸に沿って解放位置に移動することを防止し、
前記プローブ壁は、前記第２係合要素を少なくとも部分的に収容する第２空洞を備えており、
前記第２空洞は、前記第２係合軸に沿った第２係合方向における、前記第２係合要素のための第１係合止め具を形成している請求項１から８のいずれか一項に記載のプローブ。
【請求項１０】
前記プローブ壁の前記内面は、非円形断面を有する請求項１から９のいずれか一項に記載のプローブ。
【請求項１１】
前記１つ以上の係合要素は、第３係合要素と第４係合要素を備えている請求項１から１０のいずれか一項に記載のプローブ。
【請求項１２】
前記プローブ本体は、前記プローブ本体内に第２プローブチャネルへの第２プローブ開口を有しており、
前記プローブ壁は、前記第２プローブ開口を取り囲んでいる請求項１から１１のいずれか一項に記載のプローブ。
【発明の詳細な説明】
【技術分野】
【０００１】
本開示は、フィルタデバイス、例えば、一般に耳あか（ｅａｒｗａｘ）として知られる耳垢（ｃｅｒｕｍｅｎ）がマイクロホンおよび／またはスピーカなどの精密機器を備える空洞に入ることをを防止するフィルタデバイスを備える聴力検査プローブなどの、聴力／聴覚検査プローブのためのロッキング機構に関する。ロッキング機構は、ロック位置で使用することで、フィルタデバイスおよび／またはプローブ先端および／またはフィルタデバイスを備えるプローブ先端をその設置された位置に保持することができ、ロック解除位置で使用することで、フィルタデバイスおよび／またはプローブ先端および／またはフィルタデバイスを備えるプローブ先端の交換を可能にすることができる。聴力検査プローブは、鼓膜聴力検査および／または耳音響放射検査などの聴覚検査を実行する際に使用されるのに適した聴力検査プローブであってもよい。
【背景技術】
【０００２】
聴覚検査を実行するためには、プローブを被験者の外耳道に挿入することが必要である。プローブは、マイクロホンおよび／または１つ以上のスピーカなどの可聴デバイスを保持する。これらの構成要素は、人間の耳からの耳垢によって損傷または変質を受けることがある。したがって、フィルタデバイスが、プローブの構成要素と外耳道に挿入されるプローブの遠位端との間において、プローブに適用される。
【０００３】
耳垢は、フィルタデバイスによって捕捉される。したがって、フィルタデバイスは、交換可能であることが必要である。たとえば、フィルタデバイス内に捕捉された耳垢は、フィルタデバイスの音響特性を変えることがあり、そのために、フィルタデバイスを交換および／または掃除せざるを得なくなる。さらに、フィルタデバイスは、プローブが使用中であるとき、その設置された位置にしっかりと保持されることが必要であり、フィルタデバイスは、フィルタの音響特性に対する変質を制限するようにして、設置された位置に保持されることが必要である。
【発明の概要】
【０００４】
既知の解決策にもかかわらず、使用するのに好都合で容易であり、フィルタデバイスを確実、正確、かつ慎重に固着する、例えば聴力検査プローブ内にフィルタデバイスを固着する、フィルタデバイスのためのロッキング機構が依然として必要とされている。
【０００５】
したがって、ロッキング機構と、このロッキング機構を備える聴覚検査を行うためのプローブが開示される。プローブは、プローブ本体内の第１プローブチャネルへの第１プローブ開口を有するプローブ本体を備えている。プローブは、第１構成要素チャネルへの第１構成要素開口を有する構成要素と接続するためのロッキング機構を備えている。
【０００６】
ロッキング機構は、主軸に沿って延びているとともに内面と外面を有するプローブ壁を備えている。プローブ壁は、構成要素を受け入れるための台座を形成しており、第１プローブ開口を取り囲んでいる。
【０００７】
ロッキング機構は、さらに、中心軸を有している結合部材を備えている。結合部材は、プローブ本体に関連して、あるいは、プローブ本体に対して第１位置と第２位置を有している。プローブは、結合部材の位置に応じて構成要素をプローブにロックするように構成されていてよい。たとえば、ある位置がロックされる位置であり、他の位置がロックされない位置であってよい。
【０００８】
ロッキング機構は、さらに、たとえば構成要素の結合要素と係合するための第１係合要素を含む１つ以上の係合要素を備えている。第１係合要素は、結合部材が第１位置および／または第２位置にあるときに、主軸に垂直、あるいは、ほぼ垂直（たとえば±５°）な第１係合軸に沿って移動可能であってよい。
【０００９】
開示されている検査プローブなど聴覚検査プローブのための構成要素も開示される。この構成要素は、聴覚検査プローブのロッキング機構と係合するための結合部を備える。この結合部は中心軸に沿って延び、１つ以上の結合要素は、ロッキング機構の係合要素と係合するための第１結合要素を含む。
【００１０】
構成要素は、プローブ先端および／または耳垢フィルタなどのフィルタデバイスおよび／または耳垢フィルタなどのフィルタデバイスを備えるプローブ先端であってもよい。聴力検査プローブと本明細書で開示される少なくとも２つの構成要素などの１つ以上の構成要素とを備える検査プローブシステムがさらに開示される。
【００１１】
開示されているロッキング機構は使用するのに好都合で容易であり、聴力検査プローブ内にフィルタデバイスまたはプローブ先端を固着することなど、構成要素を確実、正確、かつ慎重に固着することは、１つの利点である。
【００１２】
聴覚検査を行うためのプローブであり、このプローブは、プローブ本体内の第１プローブチャネルに関連付けられた第１プローブ開口を有するプローブ本体を備え、このプローブは、第１構成要素チャネルに関連付けられた第１構成要素開口を有する構成要素を接続するためのロッキング機構を備え、このロッキング機構は、主軸に沿って延び、内面と外面とを有するプローブ壁であって、構成要素を受け入れるための台座を形成し、第１プローブ開口を取り囲むプローブ壁と、中心軸を有し、プローブ本体に対して第１位置と第２位置とを有するように移動可能である結合部材であって、プローブは、結合部材の位置に応じて構成要素をプローブにロックするように構成される結合部材と、構成要素の結合要素と係合するための第１係合要素を含む１つ以上の係合要素であり、第１係合要素は、結合部材が第１位置にあるときに、主軸に垂直な第１係合軸に沿って移動可能である係合要素を含む。
【００１３】
任意で、結合部材が第２位置にあるときに、第１係合要素は、構成要素がプローブにロックされるように、第１係合軸に沿って解放位置に移動することが防止される。
【００１４】
任意で、結合部材が第２位置にあるときに、プローブは、構成要素をプローブにロックするように構成されている。
【００１５】
任意で、結合部材は、中心軸のまわりでプローブ本体に対する結合部材の回転によって、第１位置から第２位置に移動するように構成されている。
【００１６】
任意で、結合部材は、１０°から３６０°の範囲内の角度変位で第１位置から第２位置に回転する。
【００１７】
任意で、結合部材は、プローブ本体に対する主軸に沿った結合部材の移動によって、第１位置から第２位置に移動するように構成されている。
【００１８】
任意で、第１係合要素は第１ボールである。
【００１９】
任意で、プローブ壁は第１係合要素を少なくとも部分的に収容する第１空洞を備えており、第１空洞は第１係合要素のための第１係合止め具を形成している。
【００２０】
任意で、１つ以上の係合要素は、構成要素の付加的な結合要素と係合するための第２係合要素を備えており、第２係合要素は、結合部材が第１位置にあるときに、主軸に垂直な第２係合軸に沿って移動可能である。結合部材が第２位置にあるときに、第２係合要素は、第２係合軸に沿って解放位置に移動することが防止される。プローブ壁は、第１係合要素を少なくとも部分的に収容する第１空洞と、第２係合要素を少なくとも部分的に収容する第２空洞を備えている。第２空洞は、第２係合要素のための係合止め具を形成している。
【００２１】
任意で、結合部材は、結合部材が第２位置にあるときに、第１係合要素のための第１ロック止め具を備えている。
【００２２】
任意で、結合部材は、結合部材が第１位置にあるときに、第１係合要素のための第１解放止め具を備えている。第１解放止め具は、中心軸から第１解放距離である。第１ロック止め具は、中心軸から第１ロック距離である。第１解放距離は、第１ロック距離より大きい。
【００２３】
任意で、プローブ壁は、非円形断面を有する。
【００２４】
任意で、１つ以上の係合要素は、第２係合要素、第３係合要素及び第４係合要素を備えている。
【００２５】
任意で、プローブ本体は、プローブ本体内に第２プローブチャネルと関連する第２プローブ開口を有しており、プローブ壁は、第２プローブ開口を取り囲んでいる。
【００２６】
聴覚検査プローブのための構成要素であって、構成要素は、聴覚検査プローブのロッキング機構と係合するための結合部を備えており、結合部が中心軸に沿って延びており、１つ以上の結合要素がロッキング機構の係合要素と係合するための第１結合要素を含んでいる。
【００２７】
他の特徴、実施形態、および利点について、以下で詳細な説明において説明する。
【図面の簡単な説明】
【００２８】
上記および他の特徴および利点は、添付の図面を参照しながら、その例示的な実施形態の以下の詳細な説明によって当業者に容易に明らかになるであろう。
【図１】接続された構成要素を有する例示的なプローブを示す図である。
【図２】構成要素を有する例示的なプローブの分解組立図である。
【図３】例示的なプローブの長手方向断面図である。
【図４】構成要素を有する例示的なプローブの長手方向断面図である。
【図５】第１位置にある結合部材を有する例示的なプローブの断面図である。
【図６】第２位置にある結合部材を有する例示的なプローブの断面図である。
【図７】第１位置にある結合部材を有する例示的なプローブの断面図である。
【図８】第２位置にある結合部材を有する例示的なプローブの断面図である。
【図９】構成要素を有する例示的なプローブの分解組立図である。
【図１０】例示的なプローブの長手方向断面図である。
【図１１】構成要素を有する例示的なプローブの長手方向断面図である。
【図１２】第１位置にある結合部材を有する例示的なプローブの断面図である。
【図１３】第２位置にある結合部材を有する例示的なプローブの断面図である。
【図１４】第１位置にある結合部材を有する例示的なプローブの断面図である。
【図１５】第２位置にある結合部材を有する例示的なプローブの断面図である。
【発明を実施するための形態】
【００２９】
さまざまな実施形態について、以下で図を参照しながら説明する。同じ参照番号は、全体を通して同じ要素を指す。したがって、各図の説明に関して、同じ要素について詳細に説明しない。図は、実施形態の説明を容易にすることを意図するにすぎないことにも留意されたい。図は、特許請求の範囲に記載した発明の網羅的な説明として、または特許請求の範囲に記載した発明の範囲に対する制限として意図されるものではない。さらに、図示の実施形態は、示されるすべての態様または利点を有することを必要とするとは限らない。特定の実施形態に関連して説明する態様または利点は、その実施形態に必ずしも限定されず、そのように図示されていない場合であっても、またはそのように明示的に説明されていない場合であっても、他の任意の実施形態において実施可能である。
【００３０】
プローブは、プローブ本体を備える。このプローブ本体は、プローブ本体内の第１プローブチャネルへの第１プローブ開口を備える。代替または追加として、プローブ本体は、プローブ本体内の複数のプローブチャネルへの複数のプローブ開口を有してもよい。たとえば、プローブ本体は、プローブ本体内の第２プローブチャネルへの第２プローブ開口を有していてもよく、および／またはプローブは、プローブ本体内の第３プローブチャネルへの第３プローブ開口を有していてもよく、および／またはプローブ本体は、プローブ本体内の第４プローブチャネルへの第４プローブ開口を有していてもよい。複数のプローブチャネルおよびそれぞれのプローブ開口は、さまざまな目的のために開口およびチャネルを設けていてもよい。たとえば、第１プローブチャネルへの第１プローブ開口は、音を提供することが意図されたものであってもよく、たとえば、第１プローブチャネルはスピーカに接続されていてもよく、第２プローブチャネルへの第２プローブ開口は、録音することが意図されたものであってもよく、たとえば、第２プローブチャネルはマイクロホンに接続されていてもよく、第３プローブチャネルへの第３プローブ開口は、加圧することが意図されたものであってもよく、たとえば、第３プローブチャネルはポンプに接続されていてもよい。複数のプローブチャネルおよびそれぞれのプローブ開口は類似の目的を有してもよく、たとえば、複数のプローブチャネルおよびそれぞれのプローブ開口は、音を提供するおよび／または録音するおよび／または加圧することが意図されたものであってもよい。
【００３１】
構成要素は、第１構成要素チャネルへの第１構成要素開口を有する。代替または追加として、構成要素は、複数の構成要素チャネルへの複数の構成要素開口を有していてもよい。たとえば、構成要素は、第２構成要素チャネルへの第２構成要素開口を有していてもよく、および／または構成要素は、第３構成要素チャネルへの第３構成要素開口を有していてもよく、および／または構成要素は、第４構成要素チャネルへの第４構成要素開口を有していてもよい。複数の構成要素チャネルおよびそれぞれの構成要素開口は、さまざまな目的のために開口およびチャネルを設けてもよい。たとえば、第１構成要素チャネルへの第１構成要素開口は、音を提供することが意図されたものであってもよく、たとえば、第１構成要素チャネルは、スピーカに接続されるように構成されていてもよく、第２構成要素チャネルへの第２構成要素開口は、録音することが意図されたものであってもよく、たとえば、第２構成要素チャネルは、マイクロホンに接続されるように構成されていてもよく、第３構成要素チャネルへの第３構成要素開口は、加圧することが意図されたものであってもよく、たとえば、第３構成要素チャネルは、ポンプに接続されるように構成されていてもよい。複数の構成要素チャネルおよびそれぞれの構成要素開口は類似の目的を有していてもよく、たとえば、複数の構成要素チャネルおよびそれぞれの構成要素開口は、音を提供するおよび／または録音するおよび／または加圧することが意図されたものであってもよい。
【００３２】
構成要素チャネルは、それぞれのプローブチャネルに接続されていてもよく、たとえば、構成要素開口は、それぞれのプローブ開口に接続されるように構成されていてもよい。たとえば、第１構成要素開口は、第１プローブ開口に接続されるように構成されていてもよく、および／または第２構成要素開口は、第２プローブ開口に接続されるように構成されていてもよく、および／または第３構成要素開口は、第３プローブ開口に接続されるように構成されていてもよく、および／または第４構成要素開口は、第４プローブ開口に接続されるように構成されていてもよい。
【００３３】
構成要素を接続することは、第１プローブ開口に第１構成要素開口を接続すること、および／または第２プローブ開口に第２構成要素開口を接続すること、および／または第３プローブ開口に第３構成要素開口を接続すること、および／または第４プローブ開口に第４構成要素開口を接続すること、および／または複数のプローブ開口に複数の構成要素開口を接続することを備え得る。
【００３４】
係合要素は、検査プローブに対する構成要素のロッキングを容易にする。プローブ壁内の、貫通穴などの凹部または穴は、係合要素の少なくとも一部を形成し得る。ボールまたは細長い部材は、係合要素の一部を構成または形成し得る。外形が対称的であることによって検査プローブの組み立てが容易になるので、ボールが好ましいことがある。たとえば遠位端に突起を有する可撓性アームは、係合要素の一部を構成または形成し得る。
【００３５】
１つ以上の係合要素は、第１係合要素を含む。１つ以上の係合要素は、たとえば構成要素の１つもしくは複数の結合要素またはそれぞれの結合要素と係合するための、第２係合要素、第３係合要素および／または第４係合要素を備え得る。１つ以上の係合要素は、複数の係合要素を含み得る。複数の係合要素は、構成要素と検査プローブとの間のより安定した接続および／または分散した接触力を容易にし得る。
【００３６】
構成要素の結合要素は、係合要素と係合するために構成されたような凹部であってもよい。たとえば、結合要素は、たとえば球形の一部を形成する凹部であってもよい。結合要素は、突起、可撓性アームおよび／またはボールであってもよい。
【００３７】
第１係合要素、第２係合要素、第３係合要素および／または第４係合要素などの係合要素は、主軸に垂直なそれぞれの係合軸に沿って移動可能であってもよい。たとえば、第２係合要素は、主軸に垂直または略垂直（たとえば±５°）な第２係合軸に沿って移動可能であってもよい。第３係合要素は、主軸に垂直または略垂直（たとえば±５°）な第３係合軸に沿って移動可能であってもよい。第４係合要素は、主軸に垂直または略垂直（たとえば±５°）な第４係合軸に沿って移動可能であってもよい。
【００３８】
第１係合要素、第２係合要素、第３係合要素および／または第４係合要素などの係合要素は、結合部材が第１位置にあるとき、それぞれの係合軸に沿って移動可能であってもよい。
【００３９】
ロッキング機構は、第１位置と第２位置を有する結合部材を備える。プローブは、結合部材が第２位置にあるときに、構成要素をプローブにロックするように構成され得る。
【００４０】
第１位置は、ロック解除位置であってもよい。結合部材が第１位置にあるときに、構成要素は、プローブからの位置を変化させ得る。第２位置は、ロック位置であってもよい。構成要素は、結合部材が第２位置にあるときに、プローブに取り付けられてロックされ得る。
【００４１】
第２位置にある結合部材は、第１係合要素、第２係合要素、第３係合要素および／または第４係合要素などの係合要素が第１係合軸、第２係合軸、第３係合軸および／または第４係合軸などの係合軸に沿って解放位置に移動するのを防止し得る。
【００４２】
たとえば、第２位置にある結合部材は、構成要素がプローブにロックされるように、１つ以上の係合要素が係合軸に沿って解放位置に移動するのを防止し得る。
【００４３】
第１位置にある結合部材は、第１係合要素、第２係合要素、第３係合要素および／または第４係合要素などの１つ以上の係合要素が、１つ以上の係合軸に沿って解放位置に移動するなど、解放位置に移動することを可能にするように構成され得る。たとえば、第１位置にある結合部材は、第１係合要素が第１係合軸に沿って解放位置に移動することを可能にすることができ、および／または第１位置にある結合部材は、第２係合要素が第２係合軸に沿って解放位置に移動することを可能にすることができる。
【００４４】
結合部材は、中心軸のまわりでのプローブ本体に対する結合部材の回転によって、第１位置から第２位置に、および／または第２位置から第１位置に移動するように構成され得る。結合部材は、１０°から３６０°の範囲内の、例えば１０°から４０°の範囲内の、例えば２０°から３０°の範囲内の、例えば２５°の角度変位で、第１位置から第２位置に回転され得る。
【００４５】
結合部材は、プローブ本体に対する主軸に沿った結合部材の移動によって、第１位置から第２位置に、および／または第２位置から第１位置に移動するように構成され得る。
【００４６】
主軸に沿った結合部材の移動は、中心軸のまわりでのプローブ本体に対する結合部材の同時回転によって引き起こされることがあり、たとえば、結合部材は、ねじ切りされ得る。あるいは、主軸に沿った結合部材の移動は、結合部材の回転とは無関係であってもよい。
【００４７】
結合部材およびプローブ本体は、たとえば、ばねによって付勢され得る。たとえば、結合部材は、第２位置などのロック位置にあるように付勢され得る。
【００４８】
結合部材は、結合部材が第２位置にあるときの第１係合軸に沿った第１解放方向における１つ以上の係合要素のための１つ以上のロック止め具を備え得る。たとえば、結合部材は、結合部材が第２位置にあるときの第１係合軸に沿った第１解放方向における第１係合要素のための第１ロック止め具を備える。追加または代替として、結合部材は、結合部材が第２位置にあるときの第２係合軸に沿った第２解放方向における第２係合要素のための第２ロック止め具を備える。第１解放方向および／または第２解放方向などの解放方向は、中心軸から径方向に延びる方向であってもよい。
【００４９】
結合部材は、結合部材が第１位置にあるときのそれぞれの解放方向における１つ以上の係合要素のための１つ以上の解放止め具を備え得る。たとえば、結合部材は、結合部材が第１位置にあるときの第１解放方向における第１係合要素のための第１解放止め具を備え得る。追加または代替として、結合部材は、結合部材が第１位置にあるときの第２解放方向における第２係合要素のための第２解放止め具を備え得る。
【００５０】
１つ以上の解放止め具は、中心軸までのそれぞれの解放距離を有し得る。１つ以上のロック止め具は、中心軸までのそれぞれのロック距離を有し得る。解放距離は、それぞれのロック距離より長くてもよい。たとえば、第１解放止め具は、中心軸までの第１解放距離を有していてもよく、第１ロック止め具は、中心軸までの第１ロック距離を有していてもよく、第１解放距離は第１ロック距離よりも長い。追加または代替として、第２解放止め具は、中心軸までの第２解放距離を有していてもよく、第２ロック止め具は、中心軸までの第２ロック距離を有していてもよく、第２解放距離は第２ロック距離よりも長い。
【００５１】
第１係合要素、第２係合要素、第３係合要素および／または第４係合要素などの１つ以上の係合要素は、突起を備える可撓性アームであってもよい。たとえば、第１係合要素は、突起を備える第１可撓性アームであってもよく、および／または第２係合要素は、突起を備える第２可撓性アームであってもよく、および／または第３係合要素は、突起を備える第３可撓性アームであってもよく、および／または第４係合要素は、突起を備える第４可撓性アームであってもよい。
【００５２】
第１係合要素、第２係合要素、第３係合要素および／または第４係合要素などの１つ以上の係合要素は、ボールであってもよい。ボールは球形状であってもよい。
【００５３】
たとえば、第１係合要素は第１ボールであってもよく、および／または第２係合要素は第２ボールであってもよく、および／または第３係合要素は第３ボールであってもよく、および／または第４係合要素は第４ボールであってもよい。ボールは、磁性金属または磁性合金などの磁性材料から作製され得る。ボールは、金属または金属合金から作製され得る。異なるボールは、同じサイズであってもよいし、異なるサイズであってもよい。異なるサイズのボールは、限られたサイズの検査プローブにおける最適なロッキングを容易にし得る。
【００５４】
プローブ壁は、外面と内面を備える。プローブ壁の内面は、楕円断面、矩形断面、多角形断面、および／または半径方向に凸部を備える断面などの非円形断面を有してもよい。非円形断面は、壁によって形成された台座内に構成要素が正確に配置される確実性の向上を提供し得る。さらに、非円形断面は、構成要素が台座内に配置されるときに、プローブに対する構成要素の好ましくない回転を防止し得る。
【００５５】
プローブ壁は、第１プローブ開口を取り囲む。追加または代替として、プローブ壁は、複数のプローブ開口のうちの１つ以上を取り囲み得る。たとえば、プローブ壁は第２プローブ開口を取り囲んでよく、および／またはプローブ壁は第３プローブ開口を取り囲んでよく、および／またはプローブ壁は第４プローブ開口を取り囲んでよい。
【００５６】
プローブ壁は、１つ以上の係合要素を少なくとも部分的に収容する１つ以上の空洞を備え得る。この１つ以上の空洞は、１つ以上の係合要素のための第１係合止め具を形成し得る。たとえば、プローブ壁は、第１係合要素、第２係合要素、第３係合要素または第４係合要素などの係合要素を少なくとも部分的に収容する空洞を備え得る。この空洞は、ある係合方向に係合要素のための第１係合止め具を形成し得る。たとえば、プローブ壁は、第１係合要素を少なくとも部分的に収容する第１空洞を備え得る。この第１空洞は、第１係合軸に沿った第１係合方向に第１係合要素のための第１係合止め具などの、第１係合要素のための第１係合止め具を形成し得る。代替または追加として、プローブ壁は、第２係合要素を少なくとも部分的に収容する第２空洞を備え得る。この第２空洞は、第２係合軸に沿った第２係合方向に第２係合要素のための第１係合止め具を形成し得る。
【００５７】
係合方向は、それぞれの解放方向に対向してもよい。たとえば、第１係合方向は、第１解放方向に対向してもよく、および／または第２係合方向は第２解放方向に対向してもよい。
【００５８】
第１係合要素および／または第２係合要素および／または第３係合要素および／または第４係合要素などの１つ以上の係合要素は、プラスチックから作製され得る。たとえば、１つ以上の係合要素は、プラスチック製可撓性アームであってもよい。たとえば、第１係合要素および／または第２係合要素および／または第３係合要素および／または第４係合要素は、プラスチック製可撓性アームであってもよい。
【００５９】
第１係合要素および／または第２係合要素および／または第３係合要素および／または第４係合要素などの１つ以上の係合要素は、金属から作製され得る。たとえば、１つ以上の係合要素は、金属製ボールであってもよい。たとえば、第１係合要素および／または第２係合要素および／または第３係合要素および／または第４係合要素は、金属製ボールであってもよい。
【００６０】
金属を利用することによって、容易な組み立てプロセスが提供され得る。たとえば、金属製ボールは、プローブの内部に磁石を配置することによって、結合部材の装着時に空洞内に保持され得る。結合部材を装着した後、磁石は除去され得る。
【００６１】
全体を通して、同じ参照番号は、同一の部品または対応する部品に使用される。
【００６２】
図１は、接続された構成要素１２を有する例示的なプローブ２、２’を示す。構成要素１２は、この示された例では、聴覚検査を行うために使用者の耳に挿入されるように構成されたプローブ先端である。プローブは、プローブ本体４を備える。
【００６３】
さらに、プローブ２、２’は、プローブ本体４に構成要素１２を接続するためのロッキング機構１０、１０’を備える。ロッキング機構１０、１０’は、中心軸１０６を備える結合部材３８を備える。結合部材３８は、プローブ本体４に対する第１位置と第２位置を有する。結合部材３８は、中心軸１０６のまわりでプローブ本体４に対する結合部材３８の回転によって、第１位置から第２位置に、および／または第２位置から第１位置に移動するように構成され得る。
【００６４】
図２は、図１に示される例示的なプローブ２の分解組立図である。図２は、第１構成要素チャネルへの第１構成要素開口１４を有する構成要素１２も示す。図２に示される構成要素１２は、第１構成要素チャネルへの第１構成要素開口１４と第２構成要素チャネルへの第２構成要素開口１８を含む、複数の構成要素チャネルへの複数の構成要素開口を有する。
【００６５】
プローブ本体４は、第１プローブチャネルへの第１プローブ開口を有する（図２では見えない）。プローブ本体４は、第１プローブチャネルへの第１プローブ開口と第２プローブチャネルへの第２プローブ開口を含む、複数のプローブチャネルへの複数の開口をさらに有し得る。プローブ本体４は、複数の部品を備えていてもよく、たとえば、主部品および／または副部品（図示せず）を含んでいてよい。
【００６６】
ロッキング機構１０は、第１構成要素開口１４に第１プローブ開口を接続するおよび／または第２構成要素開口１８に第２プローブ開口を接続するように構成され得る。
【００６７】
ロッキング機構１０は、主軸１００に沿って延びるプローブ壁２２を備える。プローブ壁２２は、内面と、外面２６を有する。プローブ壁２２は、構成要素１２を受け入れるための台座を形成する。プローブ壁２２は、第１プローブ開口を取り囲む。プローブ壁２２は、複数のプローブ開口を取り囲み得る。
【００６８】
ロッキング機構１０は、第１係合要素３０を含む、１つ以上の係合要素３０、３２をさらに備える。図２では、１つ以上の係合要素は、第２係合要素３２をさらに含む。第１係合要素３０および／または第２係合要素３２などの１つ以上の係合要素は、構成要素１２がプローブ壁２２によって形成された台座内に配置されるときに、構成要素１２の結合要素５８と係合するように構成されている。第１係合要素３０および／または第２係合要素３２などの１つ以上の係合要素３０、３２は、半径方向など、主軸１００に垂直な方向に移動可能である。第１係合要素３０および／または第２係合要素３２などの１つ以上の係合要素３０、３２はまた、長手方向など、主軸１００と平行な方向に移動可能であってもよい。
【００６９】
第１位置および第２位置のうちの一方、例えば第２位置にある結合部材３８は、構成要素１２がプローブ２にロックされるように、第１係合要素３０および／または第２係合要素３２が解放位置に移動するのを防止するように構成される。第１位置および第２位置のうちの他方、例えば第１位置にある結合部材３８は、構成要素１２がプローブにロックされないように、第１係合要素３０および／または第２係合要素３２が解放位置に移動することを可能にするように構成される。
【００７０】
プローブ壁２２は、第１係合要素３０を少なくとも部分的に収容するスリット形態等の第１空洞４０を備える。プローブ壁２２は、第１空洞４０を含む１つ以上の空洞を備え得る。この１つ以上の空洞は、１つ以上の係合要素３０、３２を少なくとも部分的に収容し得る。１つ以上の空洞は、第２係合要素３２を少なくとも部分的に収容する第２空洞を備え得る。
【００７１】
結合部材３８とプローブ本体４は、結合部材３８が、第１位置と第２位置の間などの位置の間で移動可能であるが、プローブ本体４に取り付けられて保持されるように、互いに取り付けられるように構成され得る。たとえば、結合部材３８および／またはプローブ本体４は、取り付け部材を備え得る。
【００７２】
結合部材３８は、任意で、たとえば図示のように突起の形態をした取り付け主部材３９、および／または取り付け主部材３９を含む複数の取り付け部材を備える。プローブ本体４は、任意で、たとえば図示のように凹部の形態をした取り付け副部材４１、および／または取り付け副部材を含む複数の取り付け副部材を備える。取り付け主部材３９などの取り付け主部材は、取り付け副部材４１などの取り付け副部材と係合するように構成される。
【００７３】
取り付け主部材および／または取り付け副部材などの取り付け部材を設けることによって、結合部材がプローブ本体４にクリックロック（ｃｌｉｃｋ−ｌｏｃｋｅｄ）されるようにし得る。
【００７４】
構成要素１２は、中心軸１０６に沿って延びる結合部５６を備える。この結合部は、ロッキング機構１０の第１係合要素３０等の１つ以上の係合要素３０、３２と係合するための、外面６０内の第１結合要素５８等の１つ以上の結合要素を有する。結合部５６は、ロッキング機構１０の複数の係合要素３０、３２と係合するための複数の結合要素５８を有し得る。
【００７５】
図示の例では、１つ以上の係合要素３０、３２は可撓性アームであり、構成要素の結合要素５８は、１つ以上の係合要素３０、３２の突起部を少なくとも受け入れるように適合された凹部である。
【００７６】
ロッキング機構１０は、中心軸１０６を備える結合部材３８をさらに備える。結合部材３８は、第１位置と第２位置を有する。結合部材３８は、中心軸１０６のまわりでのプローブ本体４に対する結合部材３８の回転によって、第１位置から第２位置に、および／または第２位置から第１位置に移動するように構成され得る。たとえば、結合部材は、５°から３６０°の範囲内、例えば１０°から９０°の範囲内、例えば２０°から６０°の範囲内、例えば２５°以下の角度変位で、第１位置から第２位置に、および／または第２位置から第１位置に回転され得る。
【００７７】
代替または追加として、結合部材３８は、プローブ本体４に対する主軸１００に沿った結合部材の移動によって、第１位置から第２位置に、および／または第２位置から第１位置に移動するように構成され得る。主軸１００に沿った結合部材３８の移動は、中心軸１０６のまわりでのプローブ本体４に対する結合部材３８の同時回転によって引き起こされ得る。あるいは、主軸１００に沿った結合部材３８の移動は、結合部材３８の回転とは無関係であってもよい。
【００７８】
図３は、例示的なプローブ２の長手方向の断面図である。プローブ２は、プローブ本体４内の第１プローブチャネル７への第１プローブ開口６を有するプローブ本体４を備える。図示の例では、プローブ２は、第２プローブチャネル９への第２プローブ開口８をさらに備える。
【００７９】
プローブ２は、構成要素（図２）を接続するためのロッキング機構１０を備える。ロッキング機構１０は、主軸１００に沿って延び、内面２４と外面２６を有するプローブ壁２２を備える。プローブ壁２２は、構成要素を受け入れるための台座２８を形成する。プローブ壁２２は、第１プローブ開口６を取り囲む。プローブ本体４は、第２プローブチャネル９への第２プローブ開口８を備える。プローブ壁２２は、第２プローブ開口８を取り囲む。
【００８０】
ロッキング機構１０は、構成要素の結合要素と係合するための第１係合要素３０を含む、１つ以上の係合要素をさらに備える。第１係合要素３０は、たとえば第１係合方向１０４に、第１係合軸１０２に沿って移動可能である。第１係合軸１０２は主軸１００に垂直である。あるいは、第１係合軸１０２は、８０°から１００°の間など、主軸に略垂直であってもよい。
【００８１】
ロッキング機構１０は、中心軸１０６を備える結合部材３８をさらに備える。プローブ２は、結合部材３８の位置に応じてプローブ２に構成要素をロックするように構成され、たとえば、プローブ２は、結合部材３８が１つの位置にあるときにプローブ２に構成要素をロックするように構成され得、プローブ２は、結合部材３８が別の位置にあるときにプローブ２に構成要素をロックしないように構成され得る。
【００８２】
結合部材３８は、第１位置と第２位置を有する。第１位置にある結合部材３８は、第１係合要素３０が解放位置に移動することを可能にするように構成される。第２位置にある結合部材３８は、第１係合要素３０が解放位置に移動するのを防止するように構成される。
【００８３】
第１係合要素３０は、係合軸１０２に沿って第１解放方向に移動可能であってもよい。この第１解放方向は、第１係合方向１０４に対向してもよい。
【００８４】
図４ａおよび図４ｂは、取り付けられた構成要素１２を有する例示的なプローブ２の長手方向断面図である。
【００８５】
図４ａでは、第１係合要素３０は解放位置にあり、構成要素１２は、主軸１００に沿ってプローブ本体４に対して移動可能である。図４ａに示されるように、構成要素１２は、第１係合要素３０が解放位置にあるとき、プローブ本体４から分離され得る。図４ｂでは、第１係合要素３０は係合位置にあり、構成要素１２は、主軸１００に沿ってプローブ本体４に対して移動可能であることが制限される。図４ｂに示されるように、構成要素１２は、第１係合要素３０が係合位置にあるとき、プローブ本体４にロックされる。
【００８６】
図４ａでは、結合部材３８は第１位置にあり、図４ｂでは、結合部材３８は第２位置にある。第１位置にある結合部材３８（図４ａ）は、第１係合要素３０が第１係合軸１０２に沿って移動することを可能にし、たとえば、第１位置にある結合部材３８（図４ａ）は、第１係合要素３０が解放位置と係合位置との間で移動することを可能にする。第２位置にある結合部材３８（図４ｂ）は、第１係合要素３０が第１係合軸１０２に沿って移動することを防止し、たとえば、第２位置にある結合部材３８（図４ｂ）は、第１係合要素３０を係合位置にロックする。
【００８７】
第１係合軸１０２は、主軸１００に垂直であり、および／または８０°から１００°の間の角度に及ぶ。第１係合要素３０は、第１係合軸１０２に沿って第１係合方向１０４に解放位置から係合位置に移動し得る。第１係合要素３０は、第１係合軸１０２に沿って、たとえば第１係合方向１０４に対向する第１解放方向に、係合位置から解放位置に移動し得る。
【００８８】
図示の例に示される第１係合要素３０は、解放位置に向かって付勢される。したがって、結合部材３８が第１位置にあるとき（図４ａ）、第１係合要素３０は解放位置にある。第１係合要素の付勢は、第１係合要素３０の型形状（ｃａｓｔ  ｓｈａｐｅ）が可撓性アームであることによって引き起こされる。
【００８９】
図４ａおよび図４ｂでは、構成要素１２が第１構成要素チャネル１６への第１構成要素開口１４を備えることがさらに示される。
【００９０】
図５は、第１位置にある結合部材３８を有する例示的なプローブ２の断面図である。例示的なプローブ２のロッキング機構１０は、１つ以上の係合要素３０、３２、３４、３６を備える。図示の例では、ロッキング機構１０は、第１係合要素３０と、第２係合要素３２と、第３係合要素３４と、第４係合要素３６を備える。
【００９１】
１つ以上の係合要素３０、３２、３４、３６は、係合位置と解放位置を有する。図５では、１つ以上の係合要素３０、３２、３４、３６は解放位置にある。図示の例では、１つ以上の係合要素３０、３２、３４、３６は、解放位置においてプローブ壁２２の内面２４と同一平面上にある。
【００９２】
第１位置にある結合部材３８は、図５に示されるように、１つ以上の係合要素３０、３２、３４、３６が係合位置と解放位置との間で移動することを可能にする。図示の例では、１つ以上の係合要素３０、３２、３４、３６は、解放位置で示されている。１つ以上の係合要素３０、３２、３４、３６は、付勢により解放位置に移動してもよく、たとえば、係合要素３０、３２、３４、３６は解放位置に向かって付勢され、または１つもしくは複数の係合要素３０、３２、３４、３６は、プローブ本体４から除去される構成要素によって、たとえばテーパ付きの面を有する構成要素の結合要素によって、解放位置に押されてもよい。
【００９３】
第１係合要素３０は、主軸１００に垂直な第１係合軸に沿って第１係合方向１０４に移動可能である。第１係合要素３０は、解放位置から係合位置に第１係合方向１０４に移動可能である。
【００９４】
第２係合要素３２は、主軸１００に垂直な第２係合軸に沿って第２係合方向１１０に移動可能である。第２係合要素３２は、解放位置から係合位置に第２係合方向１１０に移動可能である。
【００９５】
第３係合要素３４は、主軸１００に垂直な第３係合軸に沿って第３係合方向１１４に移動可能である。第３係合要素３４は、解放位置から係合位置に第３係合方向１１４に移動可能である。
【００９６】
第４係合要素３６は、主軸１００に垂直な第４係合軸に沿って第４係合方向１１８に移動可能である。第４係合要素３６は、解放位置から係合位置に第４係合方向１１８に移動可能である。
【００９７】
第１係合要素３０、第２係合要素３２、第３係合要素３４、および／または第４係合要素３６のうちの１つ以上はまた、主軸１００に垂直でない１つ以上の方向に移動可能であってもよい。
【００９８】
さらに、図５は、プローブ壁２２の内面２４が非円形断面を有することを示す。具体的には、図示の例では、プローブ壁２２は、プローブ壁によって形成された台座に構成要素が挿入されるときに構成要素の回転および位置合わせ不良を防止する凸部を備える。
【００９９】
図６は、結合部材３８が第２位置にある図５の例示的なプローブ２の断面図である。図６では、構成要素１２は、プローブ壁２２によって形成された台座内に配置されている。
【０１００】
結合部材３８は、結合部材３８の中心軸１０６のまわりでのプローブ本体４に対する結合部材３８の回転によって、図５に示される第１位置から、図６に示される第２位置に移動されている。結合部材３８は、約２５°の角度変位で第１位置から第２位置に回転される。
【０１０１】
図６では、１つ以上の係合要素３０、３２、３４、３６は、それぞれの係合位置にある。係合位置では、１つ以上の係合要素３０、３２、３４、３６は、たとえば主軸１００に垂直な、それぞれの係合方向１０４、１１０、１１４、１１８に、プローブ壁２２の内面２４からの突起を形成し得る。係合位置では、１つ以上の係合要素３０、３２、３４、３６は、プローブ壁２２の外面２６と同一曲面上にあってもよい。係合位置では、１つ以上の係合要素３０、３２、３４、３６は、構成要素１２の結合要素と係合する。
【０１０２】
図示の例では、第１位置（図５）から第２位置（図６）に結合部材３８を移動させると、結合部材３８は、たとえばそれぞれの係合方向１０４、１１０、１１４、１１８に、１つ以上の係合要素３０、３２、３４、３６を係合位置に移動させるように構成される。
【０１０３】
図７および図８は、第１位置（図７）および第２位置（図８）に結合部材３８を有する、図５〜図６の例示的なプローブ２の断面図である。図８では、構成要素１２は、プローブ壁２２によって形成された台座内に配置されている。
【０１０４】
結合部材３８は、１つ以上の係合要素３０、３２、３４、３６のための１つ以上のロック止め具４８、６２、７０、７８を備える。結合部材３８は、第１係合要素３０のための第１ロック止め具４８を備える。結合部材３８は、第２係合要素３２のための第２ロック止め具６２を備える。結合部材３８は、第３係合要素３４のための第３ロック止め具７０を備える。結合部材３８は、第４係合要素３６のための第４ロック止め具７８を備える。
【０１０５】
結合部材３８は、１つ以上の係合要素３０、３２、３４、３６のための１つ以上の解放止め具５０、６４、７２、８０を備える。結合部材３８は、第１係合要素３０のための第１解放止め具５０を備える。結合部材３８は、第２係合要素３２のための第２解放止め具６４を備える。結合部材３８は、第３係合要素３４のための第３解放止め具７２を備える。結合部材３８は、第４係合要素３６のための第４解放止め具８０を備える。
【０１０６】
１つ以上の解放止め具５０、６４、７２、８０は、図７に示されるように、結合部材３８が第１位置にあるとき、たとえばそれぞれの係合方向に対向する係合軸に沿った解放方向において、１つ以上の係合要素３０、３２、３４、３６のための止め具を形成するように構成される。
【０１０７】
１つ以上のロック止め具４８、６２、７０、７８は、図８に示されるように、結合部材３８が第２位置にあるとき、たとえばそれぞれの係合方向に対向する、係合軸に沿った解放方向において、１つ以上の係合要素３０、３２、３４、３６のための止め具を形成するように構成される。
【０１０８】
１つ以上のロック止め具４８、６２、７０、７８は、中心軸までのそれぞれのロック距離５２、６６、７４、８２を有する。１つ以上の解放止め具５０、６４、７２、８０は、中心軸までのそれぞれの解放距離５４、６８、７６、８４を有する。解放距離５４、６８、７６、８４は、そのそれぞれのロック距離５２、６６、７４、８２よりも長い。
【０１０９】
第１ロック止め具４８は、中心軸１００までの第１ロック距離５２を有する。第１解放止め具５０は、中心軸までの第１解放距離５４を有する。第１解放距離５４は第１ロック距離５２よりも長い。
【０１１０】
第２ロック止め具６２は、中心軸１００までの第２ロック距離６６を有する。第２解放止め具６４は、中心軸までの第２解放距離６８を有する。第２解放距離６８は第２ロック距離６６よりも長い。
【０１１１】
第３ロック止め具７０は、中心軸１００までの第３ロック距離７４を有する。第３解放止め具７２は、中心軸までの第３解放距離７６を有する。第３解放距離７６は第３ロック距離７４よりも長い。
【０１１２】
第４ロック止め具７８は、中心軸１００までの第４ロック距離８２を有する。第４解放止め具８０は、中心軸までの第４解放距離８４を有する。第４解放距離８４は第４ロック距離８２よりも長い。
【０１１３】
第１位置から第２位置に結合部材３８を移動させると、結合部材３８が、第１係合要素３０、第２係合要素３２、第３係合要素３４および／または第４係合要素３６などの１つ以上の係合要素を解放位置から係合位置に移動させるため、たとえばそれぞれの係合方向に移動するために、結合部材３８は、ロック止め具４８、６２、７０、７８とそのそれぞれの解放止め具５０、６４、７２、８０との間で図７および図８に示される漸進的な移行を備えてもよい。
【０１１４】
図９〜図１５は、例示的なプローブ２’を示す。
【０１１５】
図９は、図１に示される例示的なプローブ２’の分解組立図である。図９は、第１構成要素チャネルへの第１構成要素開口１４を有する構成要素１２も示す。図９に示される構成要素１２は、第１構成要素チャネルへの第１構成要素開口１４と第２構成要素チャネルへの第２構成要素開口１８を含む複数の構成要素チャネルへの複数の構成要素開口を有する。
【０１１６】
プローブ本体４は、第１プローブチャネルへの第１プローブ開口を有する（図９では見えない）。プローブ本体４は、第１プローブチャネルへの第１プローブ開口と第２プローブチャネルへの第２プローブ開口を含む複数のプローブチャネルへの複数の開口をさらに有し得る。
【０１１７】
ロッキング機構１０は、第１構成要素開口１４に第１プローブ開口を接続するおよび／または第２構成要素開口１８に第２プローブ開口を接続するために構成され得る。
【０１１８】
ロッキング機構１０は、主軸１００に沿って延びるプローブ壁２２を備える。プローブ壁２２は、内面と、外面２６を有する。プローブ壁２２は、構成要素１２を受け入れるための台座を形成する。プローブ壁２２は、第１プローブ開口を取り囲む。プローブ壁２２は、複数のプローブ開口を取り囲み得る。
【０１１９】
ロッキング機構１０は、第１係合要素３０を含む１つ以上の係合要素３０、３２をさらに備える。図９では、１つ以上の係合要素は、第２係合要素３２をさらに含む。第１係合要素３０および／または第２係合要素３２などの１つ以上の係合要素は、プローブ壁２２によって形成される台座内に構成要素１２が配置されるときの構成要素１２の結合要素５８と係合するために構成される。第１係合要素３０および／または第２係合要素３２などの１つ以上の係合要素３０、３２は、半径方向等、主軸１００に垂直な方向に移動可能である。第１係合要素３０および／または第２係合要素３２などの１つ以上の係合要素３０、３２はまた、長手方向等、主軸１００と平行な方向に移動可能であってもよい。
【０１２０】
第１位置および第２位置のうちの一方、例えば第２位置にある結合部材３８は、構成要素１２がプローブ２にロックされるように第１係合要素３０および／または第２係合要素３２が解放位置に移動するのを防止するように構成される。第１位置および第２位置のうちの他方、例えば第１位置にある結合部材３８は、構成要素１２がプローブにロックされないように第１係合要素３０および／または第２係合要素３２が解放位置に移動することを可能にするように構成される。
【０１２１】
プローブ壁２２は、第１係合要素３０を少なくとも部分的に収容する第１空洞４０を備える。プローブ壁２２は、第１空洞４０を含む１つ以上の空洞を備え得る。この１つ以上の空洞は、１つ以上の係合要素３０、３２を少なくとも部分的に収容し得る。１つ以上の空洞は、第２係合要素３２を少なくとも部分的に収容する第２空洞を備え得る。
【０１２２】
１つ以上の係合要素３０、３２は、第１空洞４０および／または第２空洞４４の中で自由に移動可能であってもよい。これは、特に、具体的に示された例では係合要素３０、３２がボールである場合に当てはまる。
【０１２３】
図９の第１空洞４０は、たとえば主軸１００に垂直な第１係合軸に沿って第１係合方向に、第１係合要素のための第１係合止め具４２を形成する。第１係合止め具４２は、第１空洞４０内に第１係合要素３０を保持し得る。たとえば、第１係合要素３０が第１係合方向に移動されるとき、第１係合止め具４２は、第１空洞４０内に第１係合要素３０を保持し得る。それによって、プローブ壁２２によって形成された台座内に構成要素１２が配置されない場合でも第１係合要素３０がなくなるのを防止する。
【０１２４】
図９の第２空洞４４は、たとえば主軸１００に垂直な第２係合軸に沿って第２係合方向に、第２係合要素のための第１係合止め具４６を形成する。第１係合止め具４６は、第２空洞４４内に第２係合要素３２を保持し得る。たとえば、第２係合要素３２が第１係合方向に移動されるとき、第１係合止め具４６は、第２空洞４４内に第２係合要素３２を保持し、それによって、プローブ壁２２によって形成された台座内に構成要素１２が配置されない場合でも第２係合要素３２が失われるのを防止し得る。
【０１２５】
この特徴は、図９に示されるプローブ２’と同様に、１つ以上の係合要素３０、３２が、空洞４０、４４内で自由に移動可能なボール等のボールであるときに、特に関連することがある。
【０１２６】
１つ以上の係合要素３０、３２は、結合部材３８が第１位置にあるときに、第１空洞４０および／または第２空洞４４の中で自由に移動可能であってもよい。１つ以上の係合要素３０、３２は、結合部材３８が第２位置にあるときに、第１空洞４０および／または第２空洞４４の中で移動することが制限されてもよい。
【０１２７】
第２位置にある結合部材３８は、たとえばプローブ壁２２によって形成された台座に構成要素１２が配置されるときに、第１係合要素３０および／または第２係合要素３２などの１つ以上の係合要素３０、３２が解放位置に移動するのを防止するように構成される。
【０１２８】
第１位置にある結合部材３８は、第１係合要素３０および／または第２係合要素３２などの１つ以上の係合要素３０、３２が解放位置に移動することを可能にするように構成される。
【０１２９】
結合部材３８とプローブ本体４は、結合部材３８が、第１位置と第２位置の間などの位置の間で移動可能であるが、プローブ本体４に取り付けられて保持されるように、互いに取り付けられるように構成され得る。たとえば、結合部材３８および／またはプローブ本体４は、取り付け部材を備え得る。
【０１３０】
結合部材３８は、任意で、たとえば図示のように突起の形態をした取り付け主部材３９、および／または取り付け主部材３９を含む複数の取り付け部材を備える。プローブ本体４は、任意で、たとえば図示のように凹部の形態をした取り付け副部材４１、および／または取り付け副部材を含む複数の取り付け副部材を備える。取り付け主部材３９などの取り付け主部材は、取り付け副部材４１などの取り付け副部材と係合するように構成される。
【０１３１】
取り付け主部材および／または取り付け副部材などの取り付け部材を設けることによって、結合部材がプローブ本体４にクリックロックされるようにし得る。
【０１３２】
構成要素１２は、中心軸１０６に沿って延びる結合部５６を備える。この結合部は、ロッキング機構１０の１つ以上の係合要素３０、３２と係合するための外面６０内の第１結合要素５８および第２結合要素５９などの１つ以上の結合要素を有する。結合部５６は、ロッキング機構１０の複数の係合要素３０、３２と係合するための複数の結合要素５８、５９を有し得る。図示の例では、結合要素５８、５９は、ボールである係合要素３０、３２を受け入れるように構成された凹部である。
【０１３３】
ロッキング機構１０は、中心軸１０６を備える結合部材３８をさらに備える。結合部材３８は、第１位置と第２位置を有する。結合部材３８は、中心軸１０６のまわりでプローブ本体４に対する結合部材３８の回転によって、第１位置から第２位置に、および／または第２位置から第１位置に移動するように構成され得る。たとえば、結合部材３８は、１０°から３６０°の範囲内の、例えば１０°から４０°の範囲内の、例えば２０°から３０°の範囲内の、例えば２５°の角度変位で、第１位置から第２位置に、および／または第２位置から第１位置に回転され得る。
【０１３４】
代替または追加として、結合部材３８は、プローブ本体４に対する主軸１００に沿った結合部材の移動によって、第１位置から第２位置に、および／または第２位置から第１位置に移動するように構成され得る。主軸１００に沿った結合部材３８の移動は、中心軸１０６のまわりでプローブ本体４に対する結合部材３８の同時回転によって引き起こされ得る。あるいは、主軸１００に沿った結合部材３８の移動は、結合部材３８の回転とは無関係であってもよい。
【０１３５】
図１０は、例示的なプローブ２’の長手方向断面図である。プローブ２’は、プローブ本体４内の第１プローブチャネル７への第１プローブ開口６を有するプローブ本体４を備える。図示の例では、プローブ２’は、第２プローブチャネル９への第２プローブ開口８をさらに備える。
【０１３６】
プローブ２’は、構成要素を接続するためのロッキング機構１０（図１および図９）を備える。ロッキング機構１０は、主軸１００に沿って延び、内面２４と外面２６とを有するプローブ壁２２を備える。プローブ壁２２は、構成要素を受け入れるための台座２８を形成する。プローブ壁２２は、第１プローブ開口６を取り囲む。プローブ本体４は、第２プローブチャネル９への第２プローブ開口８を備える。プローブ壁２２は、第２プローブ開口８を取り囲む。
【０１３７】
ロッキング機構１０は、構成要素の結合要素と係合するための第１係合要素３０を含む１つ以上の係合要素をさらに備える。第１係合要素３０は、たとえば第１係合方向１０４に、第１係合軸１０２に沿って移動可能である。第１係合軸１０２は主軸１００に垂直である。あるいは、第１係合軸１０２は、８０°から１００°の間など、主軸に略垂直であってもよい。
【０１３８】
ロッキング機構１０は、中心軸１０６を備える結合部材３８をさらに備える。プローブ２’は、結合部材３８の位置に応じてプローブ２’に構成要素をロックするように構成され、たとえば、プローブ２’は、結合部材３８が１つの位置にあるときにプローブ２’に構成要素をロックするように構成されることがあり、プローブ２’は、結合部材３８が別の位置にあるときにプローブ２’に構成要素をロックしないように構成され得る。
【０１３９】
結合部材３８は、第１位置と第２位置を有する。第１位置にある結合部材３８は、第１係合要素３０が解放位置に移動することを可能にするように構成される。第２位置にある結合部材３８は、第１係合要素３０が解放位置に移動することを防止するように構成される。
【０１４０】
第１係合要素３０は、係合軸１０２に沿って第１解放方向に移動可能であってもよい。この第１解放方向は、第１係合方向１０４に対向してもよい。
【０１４１】
図１１ａおよび図１１ｂは、取り付けられた構成要素１２を有する例示的なプローブ２’の長手方向断面図である。
【０１４２】
図１１ａでは、第１係合要素３０は解放位置にあり、構成要素１２は、主軸１００に沿ってプローブ本体４に対して移動可能である。図１１ａに示されるように、構成要素１２は、第１係合要素３０が解放位置にあるときに、プローブ本体４から分離され得る。図１１ｂでは、第１係合要素３０は係合位置にあり、構成要素１２は、主軸１００に沿ってプローブ本体４に対して移動可能であることが制限される。図１１ｂに示されるように、構成要素１２は、第１係合要素３０が係合位置にあるときに、プローブ本体４にロックされる。
【０１４３】
解放位置にある第１係合要素３０は、図１１ａに示されるように、第１係合軸１０２に沿って第１係合方向１０４に移動可能である。第１係合軸１０２は主軸１００に垂直である。解放位置にある第１係合要素３０は、図１１ｂに示されるように、第１係合軸１０２に沿って第１係合方向１０４に係合位置に移動され得る。
【０１４４】
図１１ａでは結合部材３８は第１位置にあり、図４ｂでは結合部材３８は第２位置にある。第１位置にある結合部材３８（図１１ａ）は、第１係合要素３０が第１係合軸１０２に沿って移動することを可能にし、たとえば、第１位置にある結合部材３８（図１１ａ）は、第１係合要素３０が解放位置と係合位置との間で移動することを可能にする。第２位置にある結合部材３８（図１１ｂ）は、第１係合要素３０が第１係合軸１０２に沿って移動することを防止し、たとえば、第２位置にある結合部材３８（図１１）は、第１係合要素３０を係合位置にロックする。
【０１４５】
第１係合軸１０２は、主軸１００に垂直であり、および／または８０°から１００°の間の角度に及ぶ。第１係合要素３０は、第１係合軸１０２に沿って第１係合方向１０４に解放位置から係合位置に移動し得る。第１係合要素３０は、第１係合軸１０２に沿って、たとえば第１係合方向１０４に対向する第１解放方向に係合位置から解放位置に移動し得る。
【０１４６】
図示の例に示される第１係合要素３０は、プローブ壁２２および結合部材３８によって形成された空洞内で自由に移動可能なボールである。結合部材３８が第１位置にあるとき（図１１ａ）、第１係合要素３０は、たとえば係合位置と解放位置との間で、係合軸１０２に沿って自由に移動可能である。結合部材３８が第２位置にあるときに（図１１ｂ）、第１係合要素３０は係合位置にあり、係合軸１０２に沿って解放位置に移動する際に制限される。結合部材３８が第１位置にあるとき（図１１ａ）、第１係合要素３０は、係合軸１０２に沿って解放位置に移動可能である。解放位置への係合要素３０の移動は、使用者がプローブ本体４から構成要素１２を除去することによって引き起こされ得る。
【０１４７】
図１１ａおよび図１１ｂでは、構成要素１２が第１構成要素チャネル１６への第１構成要素開口１４を備えることがさらに示される。
【０１４８】
図１２は、結合部材３８が第１位置にある例示的なプローブ２’の断面図である。例示的なプローブ２’のロッキング機構１０は、１つ以上の係合要素３０、３２、３４、３６を備える。図示の例では、ロッキング機構１０は、第１係合要素３０と、第２係合要素３２と、第３係合要素３４と、第４係合要素３６を備える。
【０１４９】
１つ以上の係合要素３０、３２、３４、３６は、係合位置と解放位置を有する。図１２では、１つ以上の係合要素３０、３２、３４、３６は解放位置にある。解放位置では、１つ以上の係合要素３０、３２、３４、３６は、プローブ壁２２の内面２４から突出しない。
【０１５０】
第１位置にある結合部材３８は、図１２に示されるように、１つ以上の係合要素３０、３２、３４、３６が係合位置と解放位置の間で移動することを可能にする。図示の例では、１つ以上の係合要素３０、３２、３４、３６は、解放位置で示されている。１つ以上の係合要素３０、３２、３４、３６は、付勢により解放位置に移動してもよく、たとえば、係合要素３０、３２、３４、３６は解放位置に向かって付勢され、または１つもしくは複数の係合要素３０、３２、３４、３６は、プローブ本体４から除去される構成要素によって、たとえばテーパ付きの面を有する構成要素の結合要素によって、解放位置に押されてもよい。
【０１５１】
第１係合要素３０は、主軸１００に垂直な第１係合軸に沿って第１係合方向１０４に移動可能である。第１係合要素３０は、解放位置から係合位置に第１係合方向１０４に移動可能である。
【０１５２】
第２係合要素３２は、主軸１００に垂直な第２係合軸に沿って第２係合方向１１０に移動可能である。第２係合要素３２は、解放位置から係合位置に第２係合方向１１０に移動可能である。
【０１５３】
第３係合要素３４は、主軸１００に垂直な第３係合軸に沿って第３係合方向１１４に移動可能である。第３係合要素３４は、解放位置から係合位置に第３係合方向１１４に移動可能である。
【０１５４】
第４係合要素３６は、主軸１００に垂直な第４係合軸に沿って第４係合方向１１８に移動可能である。第４係合要素３６は、解放位置から係合位置に第４係合方向１１８に移動可能である。
【０１５５】
第１係合要素３０、第２係合要素３２、第３係合要素３４および／または第４係合要素３６のうちの１つ以上はまた、主軸１００に垂直でない１つ以上の方向に移動可能であってもよい。
【０１５６】
さらに、図１２は、プローブ壁２２の内面２４が非円形断面を有することを示す。具体的には、図示の例では、プローブ壁２２は、円形部すなわち円の一部と、直線部を備える。それによって、プローブ壁の形状は、プローブ壁によって形成された台座に構成要素が挿入されるとき、構成要素の回転および位置合わせ不良を防止する。
【０１５７】
また図示されるように、１つ以上の係合要素３０、３２、３４、３６は、異なるサイズのボールであってもよい。たとえば、この例に示されるように、第１係合要素３０の直径は第４係合要素３６の直径よりも大きい。
【０１５８】
図１３は、第２位置に結合部材３８を有する図１２の例示的なプローブ２’の断面図である。図１３では、構成要素１２は、プローブ壁２２によって形成された台座内に配置されている。
【０１５９】
結合部材３８は、結合部材３８の中心軸１０６のまわりでのプローブ本体４に対する結合部材３８の回転によって、図１２に示される第１位置から、図１３に示される第２位置に移動されている。結合部材３８は、約２５°の角度変位で第１位置から第２位置に回転される。
【０１６０】
図１３では、１つ以上の係合要素３０、３２、３４、３６は、それぞれの係合位置にある。係合位置では、１つ以上の係合要素３０、３２、３４、３６は、たとえば主軸１００に垂直なそれぞれの係合方向１０４、１１０、１１４、１１８に、プローブ壁２２の内面２４からの突起を形成し得る。係合位置では、１つ以上の係合要素３０、３２、３４、３６は、構成要素１２の結合要素と係合する。
【０１６１】
図示の例では、第１位置（図１２）から第２位置（図１３）に結合部材３８を移動させると、結合部材３８は、第１係合要素３０、第２係合要素３２、第３係合要素３４および／または第４係合要素３６などの１つ以上の係合要素を、係合位置に、たとえばそれぞれの係合方向１０４、１１０、１１４、１１８に移動させるように構成される。
【０１６２】
図１４および図１５は、第１位置（図１４）および第２位置（図１５）に結合部材３８を有する、図１２〜図１３の例示的なプローブ２’の断面図である。図１５では、構成要素１２は、プローブ壁２２によって形成された台座内に配置されている。
【０１６３】
結合部材３８は、１つ以上の係合要素３０、３２、３４、３６のための１つ以上のロック止め具４８、６２、７０、７８を備える。結合部材３８は、第１係合要素３０のための第１ロック止め具４８を備える。結合部材３８は、第２係合要素３２のための第２ロック止め具６２を備える。結合部材３８は、第３係合要素３４のための第３ロック止め具７０を備える。結合部材３８は、第４係合要素３６のための第４ロック止め具７８を備える。
【０１６４】
結合部材３８は、１つ以上の係合要素３０、３２、３４、３６のための１つ以上の解放止め具５０、６４、７２、８０を備える。結合部材３８は、第１係合要素３０のための第１解放止め具５０を備える。結合部材３８は、第２係合要素３２のための第２解放止め具６４を備える。結合部材３８は、第３係合要素３４のための第３解放止め具７２を備える。結合部材３８は、第４係合要素３６のための第４解放止め具８０を備える。
【０１６５】
１つ以上の解放止め具５０、６４、７２、８０は、図１４に示されるように、結合部材３８が第１位置にあるときに、それぞれの係合方向に対向する解放方向に１つ以上の係合要素３０、３２、３４、３６のための止め具を形成するように構成される。
【０１６６】
１つ以上のロック止め具４８、６２、７０、７８は、図１５に示されるように、結合部材３８が第２位置にあるときに、それぞれの係合方向に対向する方向に１つ以上の係合要素３０、３２、３４、３６のための止め具を形成するように構成される。
【０１６７】
１つ以上のロック止め具４８、６２、７０、７８は、中心軸までのそれぞれのロック距離５２、６６、７４、８２を有する。１つ以上の解放止め具５０、６４、７２、８０は、中心軸までのそれぞれの解放距離５４、６８、７６、８４を有する。解放距離５４、６８、７６、８４は、そのそれぞれのロック距離５２、６６、７４、８２よりも長い。
【０１６８】
第１ロック止め具４８は、中心軸１００までの第１ロック距離５２を有する。第１解放止め具５０は、中心軸までの第１解放距離５４を有する。第１解放距離５４は第１ロック距離５２よりも長い。
【０１６９】
第２ロック止め具６２は、中心軸１００までの第２ロック距離６６を有する。第２解放止め具６４は、中心軸までの第２解放距離６８を有する。第２解放距離６８は第２ロック距離６６よりも長い。
【０１７０】
第３ロック止め具７０は、中心軸１００までの第３ロック距離７４を有する。第３解放止め具７２は、中心軸までの第３解放距離７６を有する。第３解放距離７６は第３ロック距離７４よりも長い。
【０１７１】
第４ロック止め具７８は、中心軸１００までの第４ロック距離８２を有する。第４解放止め具８０は、中心軸までの第４解放距離８４を有する。第４解放距離８４は第４ロック距離８２よりも長い。
【０１７２】
第１位置から第２位置に結合部材３８を移動させると、結合部材３８が、第１係合要素３０、第２係合要素３２、第３係合要素３４、および／または第４係合要素３６などの１つ以上の係合要素をたとえばそれぞれの係合方向に移動するために解放位置から係合位置に移動させるように、結合部材３８は、ロック止め具４８、６２、７０、７８とそのそれぞれの解放止め具５０、６４、７２、８０との間で図１４および図１５に示される漸進的な移行を備えてもよい。
【０１７３】
上記の図および例に示されるように、主軸１００と中心軸１０６は同じ軸であってもよい。しかしながら、主軸１００および中心軸１０６は、反対に、異なる軸であってもよく、たとえば、主軸１００および中心軸１０６は、０°よりも大きい大きさを有する角度をなしていてもよい。
【０１７４】
さらに、以下の項目のいずれかに示されるプローブが開示される。
（項目１）
聴覚検査を行うためのプローブであって、
前記プローブは、プローブ本体であって、当該プローブ本体内の第１プローブチャネルへの第１プローブ開口を有するプローブ本体を備えており、
前記プローブは、第１構成要素チャネルへの第１構成要素開口を有する構成要素と接続するためのロッキング機構を備えており、
前記ロッキング機構が、
主軸に沿って延びているとともに内面と外面とを有するプローブ壁であって、前記構成要素を受け入れるための台座を形成しており、前記第１プローブ開口を取り囲んでいるプローブ壁と、
中心軸を有しているとともに前記プローブ本体に対して第１位置と第２位置を有するように構成された結合部材であって、前記プローブが当該結合部材の位置に応じて前記構成要素を前記プローブにロックするように構成されている結合部材と、
前記構成要素の結合要素と係合するための第１係合要素を含む１つ以上の係合要素であって、前記第１係合要素が、前記結合部材が前記第１位置にあるときに、前記主軸に垂直な第１係合軸に沿って移動可能である係合要素と、
を備えるプローブ。
（項目２）
前記第２位置にある前記結合部材は、前記構成要素が前記プローブにロックされるように、前記第１係合要素が前記第１係合軸に沿って解放位置に移動することを防止する項目１に記載のプローブ。
（項目３）
前記結合部材が前記第２位置にあるときに、前記構成要素を前記プローブにロックするように構成されている項目１または２のいずれか一項に記載のプローブ。
（項目４）
前記結合部材は、前記中心軸のまわりでの前記プローブ本体に対する前記結合部材の回転によって、前記第１位置から前記第２位置に移動するように構成されている項目１から３のいずれか一項に記載のプローブ。
（項目５）
前記結合部材は、１０°から３６０°の範囲内の角度変位で前記第１位置から前記第２位置に回転する項目４に記載のプローブ。
（項目６）
前記結合部材は、前記プローブ本体に対する前記主軸に沿った前記結合部材の移動によって、前記第１位置から前記第２位置に移動するように構成されている項目１から５のいずれか一項に記載のプローブ。
（項目７）
前記第１係合要素は第１ボールである項目１から６のいずれか一項に記載のプローブ。
（項目８）
前記プローブ壁は、前記第１係合要素を少なくとも部分的に収容する第１空洞を備えており、
前記第１空洞は、前記第１係合軸に沿った第１係合方向における、前記第１係合要素のための第１係合止め具を形成している項目１から７のいずれか一項に記載のプローブ。
（項目９）
前記１つ以上の係合要素は、前記構成要素の結合要素と係合するための第２係合要素を含んでおり、
前記第２係合要素は、前記結合部材が前記第１位置にあるときに、前記主軸に垂直な第２係合軸に沿って移動可能であり、
前記第２位置にある前記結合部材は、前記第２係合要素が前記第２係合軸に沿って解放位置に移動することを防止し、
前記プローブ壁は、前記第２係合要素を少なくとも部分的に収容する第２空洞を備えており、
前記第２空洞は、前記第２係合軸に沿った第２係合方向における、前記第２係合要素のための第１係合止め具を形成している項目１から８のいずれか一項に記載のプローブ。
（項目１０）
前記結合部材は、前記結合部材が前記第２位置にあるときの、前記第１係合軸に沿った第１解放方向における、前記第１係合要素のための第１ロック止め具を備えている項目１から９のいずれか一項に記載のプローブ。
（項目１１）
前記結合部材は、前記結合部材が前記第１位置にあるときの、前記第１解放方向における前記第１係合要素のための第１解放止め具を備えており、
前記第１解放止め具は、前記中心軸までの第１解放距離を有しており、
前記第１ロック止め具は、前記中心軸までの第１ロック距離を有しており、
前記第１解放距離は、前記第１ロック距離より大きい項目１０に記載のプローブ。
（項目１２）
前記プローブ壁の前記内面は、非円形断面を有する項目１から１１のいずれか一項に記載のプローブ。
（項目１３）
前記１つ以上の係合要素は、第３係合要素と第４係合要素を備えている項目１から１２のいずれか一項に記載のプローブ。
（項目１４）
前記プローブ本体は、前記プローブ本体内に第２プローブチャネルへの第２プローブ開口を有しており、
前記プローブ壁は、前記第２プローブ開口を取り囲んでいる項目１から１３のいずれか一項に記載のプローブ。
（項目１５）
聴覚検査プローブのための構成要素であって、前記聴覚検査プローブのロッキング機構と係合するための結合部を備えており、前記結合部が中心軸に沿って延びており、１つ以上の結合要素が前記ロッキング機構の係合要素と係合するための第１結合要素を含んでいる構成要素。
【０１７５】
具体的な特徴を示し、それらについて説明したが、それらは特許請求の範囲に記載された発明を限定するためのものではないことを理解されたい。また、特許請求の範囲に記載された発明の趣旨および範囲を逸脱することなく様々な変更および修正を加えることができることは、当業者には明らかであろう。したがって、本明細書および図面は、限定的なものではなく例示的なものとして見なすべきである。特許請求の範囲に記載された発明は、全ての代替形態、修正形態、および均等形態をカバーすることが意図されている。
【符号の説明】
【０１７６】
２、２’：プローブ
４：プローブ本体
６：第１プローブ開口
７：第１プローブチャネル
８：第２プローブ開口
９：第２プローブチャネル
１０、１０’：ロッキング機構
１２：構成要素
１４：第１構成要素開口
１６：第１構成要素チャネル
１８：第２構成要素開口
２０：第２構成要素チャネル
２２：プローブ壁
２４：プローブ壁の内面
２６：プローブ壁の外面
２８：台座
３０：第１係合要素
３２：第２係合要素
３４：第３係合要素
３６：第４係合要素
３８：結合部材
３９：取り付け主部材
４０：第１空洞
４１：取り付け副部材
４２：第１係合要素のための第１係合止め具
４４：第２空洞
４６：第２係合要素のための第１係合止め具
４８：第１ロック止め具
５０：第１解放止め具
５２：第１ロック距離
５４：第１解放距離
５６：結合部
５８：第１結合要素
５９：第２結合要素
６０：結合部の外面
６２：第２ロック止め具
６４：第２解放止め具
６６：第２ロック距離
６８：第２解放距離
７０：第３ロック止め具
７２：第３解放止め具
７４：第３ロック距離
７６：第３解放距離
７８：第４ロック止め具
８０：第４解放止め具
８２：第４ロック距離
８４：第４解放距離
１００：主軸
１０２：第１係合軸
１０４：第１係合方向
１０６：中心軸
１０８：第２係合軸
１１０：第２係合方向
１１２：第３係合軸
１１４：第３係合方向
１１６：第４係合軸
１１８：第４係合方向
【図１】
0006577859.tif 000002
【図２】
0006577859.tif 000003
【図３】
0006577859.tif 000004
【図４】
0006577859.tif 000005
【図５】
0006577859.tif 000006
【図６】
0006577859.tif 000007
【図７】
0006577859.tif 000008
【図８】
0006577859.tif 000009
【図９】
0006577859.tif 000010
【図１０】
0006577859.tif 000011
【図１１】
0006577859.tif 000012
【図１２】
0006577859.tif 000013
【図１３】
0006577859.tif 000014
【図１４】
0006577859.tif 000015
【図１５】
0006577859.tif 000016